(57)【要約】      （修正有）【課題】双方向の搬送を実現し、操作性の良いホテルの荷物用搬送装置を提供する。【解決手段】上階Ｕと下階Ｄの間の階段の一側部に、上階Ｕと下階Ｄとの間を荷物が上昇移動と下降移動する荷物用搬送コンベア１を設ける。荷物用搬送コンベア１の運転状態を自動と手動とに切替える自動手動切替スイッチと、搬送ベルト５の移動方向を切り替える上昇下降切替スイッチと、自動手動切替スイッチを手動にしたときに使用する運転ボタンおよび停止ボタンとを有する操作ボックス１１を設ける。荷物用搬送コンベア１の上階Ｕおよび下階Ｄの荷物載置部７の近傍所定位置には、スタートスイッチおよび荷物感知手段を夫々設ける。【選択図】図１
0003177750.tif 000002
【実用新案登録請求の範囲】
【請求項１】
上階Ｕと下階Ｄの間の階段Ｓの一側部に、階段Ｓの昇降方向と平行の荷物用搬送コンベア１を設け、該荷物用搬送コンベア１は、上階Ｕの上側プーリー２と下階Ｄの下側プーリー３との間に、モータ６の正逆駆動回転により、上階Ｕと下階Ｄとの間を上昇移動と下降移動する搬送ベルト５を掛け回し、前記荷物用搬送コンベア１は、上階Ｕと下階Ｄの夫々に設けた水平の荷物載置部７の間に傾斜する傾斜部８を有し、上階Ｕまたは下階Ｄの何れか一方の荷物用搬送コンベア１の荷物載置部７の階段Ｓとは反対側には、荷物用搬送コンベア１の運転状態を自動と手動とに切替える自動手動切替スイッチ１２と、搬送ベルト５の移動方向を切り替える上昇下降切替スイッチ１３と、自動手動切替スイッチ１２を手動にしたときに使用する運転ボタン１４および停止ボタン１５とを有する操作ボックス１１を設けると共に、荷物用搬送コンベア１の上階Ｕおよび下階Ｄの荷物載置部７の近傍所定位置には、スタートスイッチ２０および荷物感知手段２１を夫々設けたホテルの荷物用搬送装置。
【請求項２】
請求項１において、前記スタートスイッチ２０には該スタートスイッチ２０が操作可能なとき点灯する表示ランプ２２を設け、前記荷物載置部７の搬送ベルト５の手前には該搬送ベルト５の作動を確認しうるコンベア作動確認表示部２３を設けたホテルの荷物用搬送装置。
【請求項３】
請求項１または請求項２において、荷物用搬送コンベア１の上階Ｕおよび下階Ｄの荷物載置部７の近傍所定位置には、荷物Ｂの高さ検出手段２４を設け、該高さ検出手段２４が所定以上の高さの荷物Ｂを感知すると、荷物用搬送コンベア１を停止させる構成としたホテルの荷物用搬送装置。
【請求項４】
請求項１または請求項２または請求項３において、前記スタートスイッチ２０および荷物感知手段２１と、操作ボックス１１の運転ボタン１４および停止ボタン１５とは、自動手動切替スイッチ１２を自動にすると、スタートスイッチ２０および荷物感知手段２１の操作を運転ボタン１４および停止ボタン１５の操作に対して優先させ、手動に切替えると、操作ボックス１１の運転ボタン１４および停止ボタン１５の操作をスタートスイッチ２０および荷物感知手段２１の操作に優先するように構成したホテルの荷物用搬送装置。
【考案の詳細な説明】
【技術分野】
【０００１】
本考案は、ホテルの荷物用搬送装置に係るものである。
【背景技術】
【０００２】
従来、例えば地下駐輪場において、上階と下階を結ぶ階段の一側に自転車用ベルト式搬送コンベアが使用されており、これは、下階に軸支された従動プーリーと、中間の踊り場に軸支された駆動プーリーとに無端ベルトを掛け回した構成は、公知である（特許文献１）。
【先行技術文献】
【特許文献】
【０００３】
【特許文献１】実用新案登録３１４９５５８号公報
【考案の概要】
【考案が解決しようとする課題】
【０００４】
前記公知例は、単に、地下駐輪場において、下階から上階への一方向のみ自転車を搬送する構成であり、上階から下階への搬送はできないので、階段の上下両方向に宿泊客が移動するホテルでは、宿泊サービスが低下するという課題がある。
本願は、下階から上階のみならず上階から下階への両方向の荷物の搬送を実現すると共に、操作性の簡便なホテルの荷物用搬送装置を提供するものである。
【課題を解決するための手段】
【０００５】
本考案は、上階Ｕと下階Ｄの間の階段Ｓの一側部に、階段Ｓの昇降方向と平行の荷物用搬送コンベア１を設け、該荷物用搬送コンベア１は、上階Ｕの上側プーリー２と下階Ｄの下側プーリー３との間に、モータ６の正逆駆動回転により、上階Ｕと下階Ｄとの間を上昇移動と下降移動する搬送ベルト５を掛け回し、前記荷物用搬送コンベア１は、上階Ｕと下階Ｄの夫々に設けた水平の荷物載置部７の間に傾斜する傾斜部８を有し、上階Ｕまたは下階Ｄの何れか一方の荷物用搬送コンベア１の荷物載置部７の階段Ｓとは反対側には、荷物用搬送コンベア１の運転状態を自動と手動とに切替える自動手動切替スイッチ１２と、搬送ベルト５の移動方向を切り替える上昇下降切替スイッチ１３と、自動手動切替スイッチ１２を手動にしたときに使用する運転ボタン１４および停止ボタン１５とを有する操作ボックス１１を設けると共に、荷物用搬送コンベア１の上階Ｕおよび下階Ｄの荷物載置部７の近傍所定位置には、スタートスイッチ２０および荷物感知手段２１を夫々設けたホテルの荷物用搬送装置としたものである。
本考案は、前記スタートスイッチ２０には該スタートスイッチ２０が操作可能なとき点灯する表示ランプ２２を設け、前記荷物載置部７の搬送ベルト５の手前には該搬送ベルト５の作動を確認しうるコンベア作動確認表示部２３を設けたホテルの荷物用搬送装置としたものである。
本考案は、荷物用搬送コンベア１の上階Ｕおよび下階Ｄの荷物載置部７の近傍所定位置には、荷物Ｂの高さ検出手段２４を設け、該高さ検出手段２４が所定以上の高さの荷物Ｂを感知すると、荷物用搬送コンベア１を停止させる構成としたホテルの荷物用搬送装置としたものである。
本考案は、前記スタートスイッチ２０および荷物感知手段２１と、操作ボックス１１の運転ボタン１４および停止ボタン１５とは、自動手動切替スイッチ１２を自動にすると、スタートスイッチ２０および荷物感知手段２１の操作を運転ボタン１４および停止ボタン１５の操作に対して優先させ、手動に切替えると、操作ボックス１１の運転ボタン１４および停止ボタン１５の操作をスタートスイッチ２０および荷物感知手段２１の操作に優先するように構成したホテルの荷物用搬送装置としたものである。
【考案の効果】
【０００６】
請求項１の考案では、下階Ｄの上側プーリー２と上階Ｕの下側プーリー３との間にモータ電動モータ６により正逆駆動回転して上階Ｕと下階Ｄとの間を上昇移動と下降移動する搬送ベルト５を掛け回して構成しているので、下階から上階のみならず上階から下階への両方向の荷物Ｂの搬送を実現することができる。
また、荷物用搬送コンベア１の運転状態を自動と手動とに切替える自動手動切替スイッチ１２を設けているので、通常の自動運転の他、メンテナンス作業で操作できる手動運転を選択できるので、操作性を向上させることができる。
また、上昇下降切替スイッチ１３により搬送ベルト５の移動方向を切り替えるので、搬送ベルト５の移動方向の切替を簡単にできる。
また、荷物用搬送コンベア１の上階Ｕおよび下階Ｄの荷物載置部７の近傍所定位置には、スタートスイッチ２０および荷物感知手段２１を設けているので、宿泊者が簡単に荷物用搬送コンベア１の運転操作できる。
請求項２の考案では、スタートスイッチ２０には該スタートスイッチ２０が操作可能なとき点灯する表示ランプ２２を設けているので、宿泊者は荷物用搬送コンベア１が操作可能状態か直ぐに判断でき、操作性を向上させることができると共に、荷物用搬送コンベア１の安全運転を確保できる。
また、荷物載置部７の搬送ベルト５の手前に、搬送ベルト５の作動を確認しうるコンベア作動確認表示部２３を設けているので、宿泊者は荷物Ｂの搬送をコンベア作動確認表示部２３で視認でき、操作性を向上させることができる。
請求項３の考案では、荷物用搬送コンベア１の上階Ｕおよび下階Ｄの荷物載置部７の近傍所定位置には、荷物Ｂの高さ検出手段２４を設けているので、高さ検出手段２４が所定以上の高さの荷物Ｂを感知すると、荷物用搬送コンベア１を停止させ、荷物用搬送コンベア１が不安定な状態で荷物Ｂを搬送するのを回避できる。
請求項４の考案では、荷物用搬送コンベア１の自動運転状態と手動運転状態との誤認を防止することができ、操作性を向上させることができる。
【図面の簡単な説明】
【０００７】
【図１】荷物用搬送コンベアの一部正面図および側面図。
【図２】同平面図。
【図３】荷物用搬送コンベアの内部機構の概略状態の平面図。
【図４】同側面図。
【図５】ブロック図。
【図６】フロー図。
【考案を実施するための形態】
【０００８】
本考案の実施例を図により説明する。図１において、１はホテルに設置する旅行鞄等の荷物Ｂを搬送する荷物用搬送コンベアであり、上階Ｕに設置された上側プーリー２（図３）と、下階Ｄに設置された下側プーリー３（図３）との間に、無端状の搬送ベルト５を掛け回して構成する。なお、搬送ベルト５の構成は要旨ではないので、詳細は省略する。
【０００９】
荷物用搬送コンベア１は、上階Ｕと下階Ｄとの間の階段Ｓの一側部に、階段Ｓの昇降方向と平行に配設する。
【００１０】
荷物用搬送コンベア１の搬送ベルト５は、電動モータ６の正逆駆動回転により、上階Ｕと下階Ｄとの間を上昇移動と下降移動して、宿泊客の荷物Ｂを運搬する。
【００１１】
荷物用搬送コンベア１は、上階Ｕと下階Ｄの夫々に設けた水平の荷物載置部７の間に傾斜する傾斜部８を有して構成する。９は階段Ｓと荷物用搬送コンベア１の傾斜部８との間に設けた手摺りであり、階段Ｓを移動中の宿泊者が使用するのみならず、傾斜部８からの荷物Ｂの落下を防止する作用も期待する。
【００１２】
１０は荷物載置部７の階段Ｓと反対側に設けた荷物用搬送コンベア１の使用方法等を表示する表示パネルである。
【００１３】
上階Ｕまたは下階Ｄの何れか一方の荷物用搬送コンベア１の荷物載置部７の階段Ｓの反対側には、操作ボックス１１を設ける。操作ボックス１１には、荷物用搬送コンベア１の運転状態を自動と手動とに切替える自動手動切替スイッチ１２を設ける。
【００１４】
自動手動切替スイッチ１２は、「自動」にすると、専ら、宿泊客が荷物Ｂの運搬時に荷物用搬送コンベア１を運転使用する。また、作業者が、自動手動切替スイッチ１２を「手動」にすると、専ら、メンテナンス作業のときに荷物用搬送コンベア１を運転させる。
【００１５】
操作ボックス１１には、搬送ベルト５の移動方向を切り替える上昇下降切替スイッチ１３を設ける。１４は自動手動切替スイッチ１２を手動にしたときに使用する運転ボタン、１５は同停止ボタン、１６はリセットボタンである。
【００１６】
荷物用搬送コンベア１の上階Ｕおよび下階Ｄの荷物載置部７の近傍所定位置には、スタートスイッチ２０および荷物感知手段２１を夫々設ける。荷物感知手段２１は上階Ｕと下階Ｄの一方から搬送された荷物Ｂが他方に到達するとこれを感知し、前記電動モータ６への通電を切る。荷物感知手段２１は、例えば、光電管(図示省略)と受光部(図示省略)等により荷物Ｂに接触せずに感知する非接触式に構成すると、荷物Ｂの搬送の障害にならず、好適である。
【００１７】
前記スタートスイッチ２０には該スタートスイッチ２０が操作可能なとき点灯する表示ランプ２２を設ける。荷物載置部７の搬送ベルト５の手前には搬送ベルト５の作動を確認させるコンベア作動確認表示部２３を設ける。
【００１８】
荷物用搬送コンベア１の上階Ｕおよび下階Ｄの荷物載置部７の近傍所定位置には、荷物Ｂの高さ検出手段２４を設ける。高さ検出手段２４は、前記荷物感知手段２１と同様に、例えば、光電管(図示省略)と受光部(図示省略)等により荷物Ｂに接触せずに感知する非接触式に構成すると、荷物Ｂの搬送の障害にならず、好適である。
【００１９】
また、上階Ｕおよび下階Ｄの荷物載置部７には複数の荷物Ｂがセットされたか否かを検出する荷物載置感知手段２５を設ける。
【００２０】
また、荷物載置感知手段２５は、前記スタートスイッチ２０の操作により荷物用搬送コンベア１が荷物Ｂの搬送中に他の荷物Ｂを荷物載置部７に載置すると、これを感知し、前記電動モータ６への通電を切る。また、荷物載置部７に載置した二つめ荷物Ｂを降ろすと、電動モータ６へ自動的に通電して、搬送を自動再開させる。
【００２１】
この場合、荷物載置感知手段２５は、前記荷物感知手段２１と同様に、例えば、光電管(図示省略)と受光部(図示省略)等により荷物Ｂに接触せずに感知する非接触式に構成すると、荷物Ｂの搬送の障害にならず、好適である。
【００２２】
２６は非常停止ボタン、２７はリセットスイッチ、２８はコントローラである。
【００２３】
この場合、スタートスイッチ２０および荷物感知手段２１と、操作ボックス１１の運転ボタン１４および停止ボタン１５との関係は、自動手動切替スイッチ１２を自動にすると、スタートスイッチ２０および荷物感知手段２１の操作を運転ボタン１４および停止ボタン１５の操作に対して優先させ、手動に切替えると、操作ボックス１１の運転ボタン１４および停止ボタン１５の操作をスタートスイッチ２０および荷物感知手段２１の操作に優先するように構成する。
【００２４】
（実施例の作用）
本考案は、上記構成であり、例えば、上階Ｕにフロントが、下階Ｄが駐車場とした一例にて、以下、作用を説明する。
【００２５】
ホテル管理人（作業者）が操作ボックス１１の自動手動切替スイッチ１２により荷物用搬送コンベア１の運転状態を「自動」とし、上昇下降切替スイッチ１３により搬送ベルト５の移動方向を「上昇」と切り替えておく。
【００２６】
宿泊客が駐車場の下階Ｄにおいて、荷物用搬送コンベア１の荷物載置部７に荷物Ｂを載置すると、スタートスイッチ２０の表示ランプ２２が点灯し、点灯したスタートスイッチ２０を押すと、電動モータ６に通電し、同時に、コンベア作動確認表示部２３を表示し、搬送ベルト５を上昇移動させ、荷物Ｂを上階Ｕの荷物載置部７に向けて搬送する。
【００２７】
したがって、階段Ｓは荷物Ｂの移動を視認すると共に、コンベア作動確認表示部２３の表示を視認できるので、荷物用搬送コンベア１の正常作動を確実に確認できる。
【００２８】
前記の場合、荷物載置感知手段２５が複数の荷物Ｂを感知すると、スタートスイッチ２０は操作不適当状態であり、表示ランプ２２は点灯せず、スタートスイッチ２０の操作不能状態にする。
【００２９】
また、同様に、所定より大きな荷物Ｂを荷物載置部７に載置すると、高さ検出手段２４がこれを感知し、スタートスイッチ２０は操作不適当状態であり、表示ランプ２２を点灯させない。
【００３０】
また、先行荷物Ｂを荷物用搬送コンベア１が搬送中に、荷物載置部７に他の荷物Ｂを載置すると、荷物載置感知手段２５が感知し、荷物用搬送コンベア１を一旦停止させる。このとき、後からの載せた荷物Ｂを荷物載置部７から降ろすと、荷物用搬送コンベア１は再稼働して、荷物Ｂを上階Ｕへ運搬する。
【００３１】
次に、下階Ｄの荷物載置部７から上階Ｕの荷物載置部７に荷物Ｂが搬送されると、上階Ｕの荷物感知手段２１が荷物Ｂを感知して電動モータ６への通電を切り、搬送ベルト５を停止させる。
【００３２】
搬送ベルト５が停止すると、上階Ｕのコンベア作動確認表示部２３の表示が消え、宿泊客は上階Ｕの荷物載置部７から荷物Ｂを降ろす。
【００３３】
そして、下階Ｄの荷物載置部７に次の荷物Ｂを載置して、上階Ｕに運搬し、これを反復して、下階Ｄから上階Ｕへの荷物Ｂの運搬に荷物用搬送コンベア１を使用する。
【００３４】
次に、ホテル管理人（作業者）が操作ボックス１１の自動手動切替スイッチ１２により荷物用搬送コンベア１の運転状態を「自動」としたまま、上昇下降切替スイッチ１３により搬送ベルト５の移動方向を「下降」と切り替えると、荷物用搬送コンベア１は上階Ｕから下階Ｄへの下降移動状態となる。
【００３５】
この状態で、上階Ｕの荷物載置部７にて荷物Ｂを載置して、上記操作を行って上階Ｕから下階Ｄに荷物Ｂ運搬し、これを反復して、上階Ｕから下階Ｄへの荷物Ｂの運搬に荷物用搬送コンベア１を使用する。
【００３６】
上記の場合、通常、ホテル管理人（作業者）が操作ボックス１１の自動手動切替スイッチ１２により荷物用搬送コンベア１の運転状態を「手動」に切替え、運転ボタン１４と停止ボタン１５、あるいは、上昇下降切替スイッチ１３を操作して、搬送ベルト５の運転と停止等を行って、メンテナンス作業を行う。
【００３７】
しかして、下階Ｄの上側プーリー２と上階Ｕの下側プーリー３との間に電動モータ６により正逆駆動回転して上階Ｕと下階Ｄとの間を上昇移動と下降移動する搬送ベルト５を掛け回して構成しているので、下階から上階のみならず上階から下階への両方向の荷物Ｂの搬送を実現する。
【００３８】
また、荷物用搬送コンベア１の運転状態を自動と手動とに切替える自動手動切替スイッチ１２を設けているので、通常の自動運転の他メンテナンス作業で操作できる手動運転を選択できるので、操作性を向上させる。
【００３９】
また、上昇下降切替スイッチ１３により搬送ベルト５の移動方向を切り替えるので、搬送ベルト５の移動方向の切替を簡単に行える。
【００４０】
また、荷物用搬送コンベア１の上階Ｕおよび下階Ｄの荷物載置部７の近傍所定位置には、スタートスイッチ２０および荷物感知手段２１を設けているので、宿泊者が簡単に荷物用搬送コンベア１の運転操作を行える。
【００４１】
また、スタートスイッチ２０には該スタートスイッチ２０が操作可能なとき点灯する表示ランプ２２を設けているので、宿泊者は荷物用搬送コンベア１が操作可能状態か否か直ぐに判断でき、操作性を向上させられる。
【００４２】
また、荷物載置部７の搬送ベルト５の手前に、搬送ベルト５の作動を確認しうるコンベア作動確認表示部２３を設けているので、宿泊者は荷物Ｂの搬送をコンベア作動確認表示部２３で視認でき、操作性を向上させられる。
【００４３】
また、荷物用搬送コンベア１の上階Ｕおよび下階Ｄの荷物載置部７の近傍所定位置には、荷物Ｂの高さ検出手段２４を設けているので、高さ検出手段２４が所定以上の高さの荷物Ｂを感知すると、荷物用搬送コンベア１を停止させ、荷物用搬送コンベア１が荷物Ｂを不安定な状態で搬送するのを回避する。
【００４４】
また、スタートスイッチ２０および荷物感知手段２１と、操作ボックス１１の運転ボタン１４および停止ボタン１５とは、自動手動切替スイッチ１２を自動にすると、スタートスイッチ２０および荷物感知手段２１の操作を運転ボタン１４および停止ボタン１５の操作に対して優先させ、手動に切替えると、操作ボックス１１の運転ボタン１４および停止ボタン１５の操作をスタートスイッチ２０および荷物感知手段２１の操作に優先するように構成しているので、荷物用搬送コンベア１の自動運転状態と手動運転状態との誤認を防止することができ、操作性を向上させることができる。
【符号の説明】
【００４５】
１…荷物用搬送コンベア、２…上側プーリー、３…下側プーリー、５…搬送ベルト、６…電動モータ、７…荷物載置部、８…傾斜部、９…手摺り、１０…表示パネル、１１…操作ボックス、１２…自動手動切替スイッチ、１３…上昇下降切替スイッチ、１４…運転ボタン、１５…停止ボタン、１６…リセットボタン、２０…スタートスイッチ、２１…荷物感知手段、２２…表示ランプ、２３…コンベア作動確認表示部、２４…高さ検出手段、２５…荷物載置感知手段、２６…非常停止ボタン、２７…リセットスイッチ、２８…コントローラ、Ｄ…下階、Ｓ…階段、Ｕ…上階。
【図１】
0003177750.tif 000003
【図２】
0003177750.tif 000004
【図３】
0003177750.tif 000005
【図４】
0003177750.tif 000006
【図５】
0003177750.tif 000007
【図６】
0003177750.tif 000008